(57)【要約】  本発明は、改良されたバックライトシステムを持つモバイルディスプレイシステム（２０）を提供する。本発明の一実施形態では、モバイルディスプレイシステムはフラットパネルディスプレイ（１４）を有するモバイルユニットと、ディスプレイに光を供給する第１のバックライト回路（４１ａ）とを備える。第１のバックライト回路は、モバイルユニットの端部近くに配置される複数の光源（４２ａ−４２ｄ）と、予め選択された一つの光源に電力を供給する単一の電源（４８ｃ）とを有する。システムはさらに、外部電源から電力を得るベースステーションを備える。ベースステーションはモバイルユニットがベースステーションに取り付けられたときに、モバイルユニット内の複数の光源に電力を供給する、少なくとも一つの電源を有する第２のバックライト回路（４１ｂ）を有する。本発明は、モバイルユニットの重量と電力消費を低く抑えるが、モバイル時にはディスプレイ面の光度について妥協することによりバッテリーの寿命を長くし、結合時には高い輝度特性を提供するものである。
2005509939.tif 000002
【特許請求の範囲】
【請求項１】
バッテリー駆動のできるモバイルユニット（２２）及び外部電源駆動のできるベースステーション（２６）と、
前記モバイルユニット（２２）内にあって、前記モバイルユニット（２２）の端部の近くに配置される光源と前記光源に電力を供給する第１の電源（４８ｃ）とを有する、第１のバックライト回路（４１ａ）と、
前記ベースステーション（２６）内にあって、前記外部電源に接続でき、前記モバイルユニット（２２）が前記ベースステーション（２６）に取り付けられたときに、前記モバイルユニット（２２）のバックライト光度を増すための手段を有する、第２のバックライト回路（４１ｂ）と、
を備えることを特徴とする、モバイルディスプレイシステム（２０）。
【請求項２】
前記第１のバックライト回路は、予め選択された一つ（４２ｃ）が前記第１の電源（４８ｃ）から電力の供給を受ける、複数の光源（４２ａ−４２ｄ）を有し、前記第２のバックライト回路の前記手段は、前記モバイルユニット（２２）が前記ベースステーション（２６）に取り付けられたときに、前記第１のバックライト回路内の他の光源（４２ａ，４２ｂ，４２ｄ）に電力を供給するための少なくとも一つの付加電源（４８ａ，４８ｂ，４８ｄ）を有することを特徴とする、請求項１に記載のモバイルディスプレイシステム（２０）。
【請求項３】
前記第２のバックライト回路の前記手段は、前記ベースステーション（２６）の端部の近くに配置される１以上の光源（６４ａ，６４ｂ，６４ｄ）と、前記１以上の光源（６４ａ，６４ｂ，６４ｄ）に電力を供給するための少なくとも１つの付加電源（６８ａ，６８ｂ，６８ｄ）とを備え、前記ベースステーション（２６）と前記モバイルユニット（２２）とは、前記１以上の光源からの光を前記モバイルユニット（２２）にカップリングするように構成されていることを特徴とする、請求項１に記載のモバイルディスプレイシステム（２０）。
【請求項４】
前記ベースステーション（２６）と前記モバイルユニット（２２）とは、光をカップリングすることができる材料から成る、選択された面（１５，２９ａ，２９ｂ；２８ａ，２８ｂ，２８ｄ）を有することを特徴とする、請求項３に記載のモバイルディスプレイシステム（２０）。
【請求項５】
前記ベースステーション（２６）は、前記モバイルユニット（２２）が前記ベースステーション（２６）に取り付けられているかどうかを検知する、検知機構（３６）をさらに備えることを特徴とする、請求項１に記載のモバイルディスプレイシステム。
【請求項６】
前記モバイルユニット（２２）はフラットパネルディスプレイ（１４）を有することを特徴とする、請求項１に記載のモバイルディスプレイシステム。
【発明の詳細な説明】
【技術分野】
【０００１】
本発明は、モバイルディスプレイシステムに関する。
【背景技術】
【０００２】
モバイル型で携帯できるＰＣ、ポータブルテレビ、および他のモバイルインターネット機器などのモバイル装置は私たちの日常生活において広く用いられている。サイズが小さく機動性があるため、これらの装置は頻繁に移動する人、あるいはあらゆる時間またあらゆる場所で、例えばインターネットや蓄積されたデータベースの情報にアクセスする必要がある人にとっては特に便利である。ＡＣ電力が得られる場合、モバイル装置は通常、取付モードあるいは結合（ドック）モードの、デスクトップ上やその他場所にあるドッキングステーションに連結して用いられる。ドッキングステーションは、プリンタなどの周辺機器への接続はもちろん、ネットワークへの接続も行う。結合モードでもモバイル（非結合）モードでも使うことができるという融通性があるため、これらのモバイル装置には、電源に接続されて電力を得ているときには輝度を高く（固定型モニタと同等の輝度）、モバイルモードで使用されているときにはバッテリーの寿命を最適化するということが要求される。
【０００３】
例えば、従来ノート型ＰＣについては、低輝度表示をするような電力供給を行うことによってこれを解決している。この場合、バックライト電力はノート型ＰＣに取り付けられた充電器の状態に基づいて調整される。ノート型ＰＣがモバイルモードで用いられるとき、バッテリー寿命の最適化はバックライトの電力を減じることによって行われる。これにより、輝度は６０−８０カンデラ／ｍ２だけ減じられる。このノート型ＰＣが壁のＡＣ電力コンセントに接続されると、内部のランプの電流または電流のデューティーサイクルを増すことによって、バックライトの最大電力がバッテリー動作モードでの最大値と比べて増される。しかし、電流が増加しても、得られる明るさはせいぜい８０−１００カンデラ／ｍ２の範囲であり、電源に接続されるフラットパネルモニタの２５０強カンデラ／ｍ２と比較するとかなり暗い。
【０００４】
このように、今日のモバイル電化製品の多くは重さや厚みを犠牲にすることなしには高い輝度を得ることができない。
【発明の開示】
【発明が解決しようとする課題】
【０００５】
故に、本発明の目的は、モバイルの特徴である軽さ、薄さ、バッテリーの長い寿命を保ちながら、電源が得られるときには例えば高輝度などのデスクトップ製品の機能性を得られる、モバイル装置を提供することにある。
【課題を解決するための手段】
【０００６】
この目的は、独立請求項１に記載の、本発明によるモバイルディスプレイシステムによって達成される。
【０００７】
本発明によれば、外部電源の利用が可能であれば、好ましくはＡＣ電源のような外部電源に接続可能な、第２のバックライト回路を有するベースステーションが提供される。モバイルユニットがベースステーションに取り付けられると、第２のバックライト回路の装置がオンになり、モバイルユニットのバックライト輝度が増す。
【０００８】
さらに効果的な実施形態が、従属請求項２−６に記載される。
【０００９】
本発明の第１の実施形態によれば、モバイルディスプレイシステムは、ディスプレイに光を提供する第１のバックライト回路を有するモバイルユニットを備える。第１のバックライト回路は、複数の光源と、予め選択された光源の一つに電力を供給する第１の電源とを有している。ベースステーションは、少なくとももう一つの電源を有する第２のバックライト回路を備える。
【００１０】
第２のバックライト回路は、第１のバックライト回路内の第１の電源から電力を供給されない分の、第１のバックライト回路の光源に電力を供給するために備えられる。
【００１１】
このように、モバイルユニットの第１の電源は、小さくてよく、またバッテリーの寿命が長くなるように、低電力消費のものでよい。モバイルユニットを単体で用いるとき、バックライト輝度は比較的低い。しかし、バックライト輝度を増すことが望ましい場合、モバイルユニットはベースステーションに取り付けられ、ベースステーションは外部電源に接続される。これにより、モバイルユニットの全ての光源がオンになり、高いバックライト輝度が得られる。
【００１２】
モバイルユニットに備えられる光源の総数は例えば４つであり、そのうち１つが第１のバックライト回路の第１の電源から電力を得る。その他３つの光源は、第２のバックライト回路の補助電源から電力を得る。
【００１３】
第２の実施形態では、第２のバックライト回路そのもの、故にベースステーションが、１以上の光源を有する。第２のバックライト回路は、この補助光源に電力を供給するための、少なくとも一つの補助電源を有する。ベースステーションとモバイルユニットとは、モバイルユニットがベースステーションに取り付けられたとき、ベースステーションの１以上の補助光源の光を、モバイルユニットへカップリングするように構成されている。
【００１４】
第２の実施形態では、モバイルユニットがさらに重さを減らすように、基本的に単一の光源のみが要求される。ベースステーションにモバイルユニットが取り付けられると、適当な構成によってベースステーションの光がモバイルユニットにカップリングされ、ベースステーションの補助光源によってバックライト輝度が増す。
【００１５】
好ましくは、この構成は、ベースステーション選択された面と、光をカップリングできる材料から成るモバイルユニットから成る。
【００１６】
以下の記載や請求項を、添付の図面に関連づけて参照することにより、本発明の目的や効果が明らかになり、本発明をより理解することができる。
【００１７】
添付の図面を参照し、本発明の例をより詳しく説明する。
【００１８】
各図面において、同じ参照番号は同様の、あるいは関連する特徴や機能を示す。
【発明を実施するための最良の形態】
【００１９】
図１は、本発明の一実施形態による、モバイルディスプレイシステム１０の基本構成を示す。ディスプレイシステム１０は、バッテリー駆動のモバイルユニット１２と、電源駆動のベースステーション１６とを備え、ベースステーション１６は、ＡＣ電源のコンセントその他の外部電源に接続する電気コード１７を有する。モバイルユニット１２は４つの端部２８ａ、２８ｂ、２８ｃ、２８ｄと、フラットパネルディスプレイ１４とを有する。モバイルユニット１２は、例えばモバイルＰＣのような独立型のモバイル装置であっても、例えばＬＣＤディスプレイのようにモバイル装置と共に用いるフラットパネルモニタであってもよい。ベースステーション１６は面１５、傾斜面１８、および２つのガイドレール１９ａ、１９ｂを有する。ガイドレール１９ａ、１９ｂはそれぞれ、互いに向かい合う内側面２９ａ、２９ｂを有する。モバイルユニット１２はベースステーション１６の傾斜面１８とガイドレール１９ａ、１９ｂとに沿って、面１５上に取り付けることができる。
【００２０】
図２Ａは、本発明の第１の実施形態によるモバイルディスプレイシステム２０を示す。ディスプレイシステム２０は図１のシステム１０と同じ基本構成を有し、モバイルユニット２２と、ベースステーション２６とを備える。図２Ａに示すように、モバイルユニット２２は、電気コネクタ３２ａ、３２ｂ、３２ｃを有する。ベースステーション２６も、電気コネクタ３４ａ、３４ｂ、３４ｃと、例えばスイッチ３６のような検知機構を有する。
【００２１】
図２Ｂは、本発明の第１の実施形態のバックライトシステム４０を示す。バックライトシステム４０は、モバイルユニット２２内のバックライト回路４１ａと、ベースステーション２６内のバックライト回路４１ｂとを有する。図２Ｂに示すように、バックライト回路４１ａは例えば、それぞれモバイルユニット２２の端部２８ａ、２８ｂ、２８ｃ、２８ｄの近くに置かれるランプ４２ａ、４２ｂ、４２ｃ、４２ｄのような複数の光源を有する。図では４つのランプのみが示されているが、端部２８ａ、２８ｂ、２８ｃのいずれかにさらにランプが備えられてもよい。これらのランプは蛍光灯、ＬＥＤ、その他のタイプの光源でよい。バックライト回路４１ａは、バッテリー（図示せず）駆動の内蔵電源４８ｃをさらに有している。バックライト回路４１ｂは、複数の電源４８ａ、４８ｂ、４８ｄを有している。モバイルモードでは、ランプ４２ｃが用いられ、内蔵電源４８ｃから電力を供給される。結合（ドック）モードでは、ランプ４２ｃに加えて、ランプ４２ａ、４２ｂ、４２ｄも用いられ、それぞれＡＣ電源のコンセントに接続された電源４８ａ、４８ｂ、４８ｄから電力を供給される。
【００２２】
ベースステーション２６のバックライト回路４１ｂ内では、複数のバックライト電源４８ａ、４８ｂ、４８ｄが面１５（図２Ａ参照）の近くに配置され、それぞれコネクタ３４ａ、３４ｂ、３４ｃを介してモバイルユニット２２のコネクタ３２ａ、３２ｂ、３２ｃに電気的に接続される。
【００２３】
結合モードにおいてモバイルユニット２２がベースステーション２６に取り付けられると、コネクタ３２ａ、３２ｂ、３２ｃがそれぞれコネクタ３４ａ、３４ｂ、３４ｃに接触し、接続される。このモードではスイッチ３６はオンとなり、ベースステーション２６に信号を送って内蔵電源４８ａ、４８ｂ、４８ｄの電源を入れ、モバイルユニット２２内のランプの電源を入れることにより、ディスプレイ１４の視認可能面の光出力を増す。この実施形態では、モバイルユニット２２が完全にベースステーション２６に取り付けられない限り、ベースステーション２６の内蔵電源から高い電圧が発生しないようにスイッチ３６は設計されている。本実施形態では、重量と電力消費を低く保ちながら、ディスプレイの表面光度について妥協することによって電池寿命を長くすることを可能にし、モバイルユニットが単一の電源を使用することができるようにしている。
【００２４】
図３Ａは、本発明の第２の実施形態による、モバイルディスプレイシステム５０を示す。この実施形態も図１のシステム１０と同じ基本構成を持ち、モバイルユニット５２とベースステーション５６とを備える。ベースステーション５６も例えばスイッチ５７のような検知機構を有する。
【００２５】
図３Ｂは本発明の第２の実施形態のバックライトシステム６０を示す。バックライトシステム６０は、モバイルユニット５２内の第１のバックライト回路６１ａと、ベースステーション５６内の第２のバックライト回路６１ｂとを有する。回路６１ａは例えばモバイルユニット５２の端部２８ｃの側に置かれる、ランプ６４ｃのような単一の光源と、バッテリー（図示せず）駆動の単一の内蔵電源６８ｃとを有する。回路６１ｂは、例えばそれぞれ面１５、２９ａ、および２９ｂの側に置かれるランプ６４ａ、６４ｂ、６４ｄのような複数の付加光源と、複数の付加電源６８ａ、６８ｂ、６８ｄとを有する。モバイルモードでは、ランプ６４ｃが用いられ、内蔵電源６８ｃから電力の供給を受ける。結合モードでは、ランプ６４ｃに加えてランプ６４ａ、６４ｂ、６４ｄが用いられ、それぞれＡＣ電源コンセントに接続される、電源６８ａ、６８ｂ、６８ｄから電力の供給を受ける。これらすべてのランプは蛍光灯、ＬＥＤ、その他のタイプの光源でもよい。
【００２６】
第２の実施形態では、モバイルユニット５２の面２８ａ、２８ｂ、および２８ｄは、例えば透明あるいは半透明の材料で構成され、モバイルユニット５２の外部からの光をユニットのバックライト構造にカップリングするようにしてもよい。あるいは、モバイルユニット５２を構成するプラスティック全体がこのような透明あるいは半透明の材料から成ってもよい。ベースステーション５６の面１５、２９ａ、２９ｂもベースステーション５６の外に出るランプ６４ａ、６４ｂ、６４ｄからの光をモバイルユニット５２にカップリングできる材料からなってもよい。結合モードにおいてベースステーション５６にモバイルユニット５２が取り付けられると、スイッチ５７が作動され、ベースステーション５６のランプに電力が供給される。これにより光学的に光が面の対２８ａ／１５、２８ｂ／２９ｂ、２８ｄ／２９ａを介してモバイルユニット５２にカップリングされ、これによりディスプレイ１４の視認可能面の光出力を増す。
【００２７】
本実施形態では、重量と電力消費を低く保ちながら、ディスプレイ面の光度について妥協することにより電池の寿命を長くし、モバイルユニットにおける単一の電源と単一の光源の使用を可能にしている。
【００２８】
本発明について特定の実施形態と関連させて記載したが、多くの代案、修正案、変更案などが、上述の記載を基にして当業者には明らかである。よって、これらの代案、修正案、変更案などもすべて添付の請求項の範囲にあるものとする。
【図面の簡単な説明】
【００２９】
【図１】本発明の一実施形態によるモバイルディスプレイシステムの基本構成を示す図。
【図２Ａ】本発明の第１の実施形態によるモバイルディスプレイシステムを示す図。
【図２Ｂ】本発明の第１の実施形態によるバックライトシステムを示す図。
【図３Ａ】本発明の第２の実施形態によるモバイルディスプレイシステムを示す図。
【図３Ｂ】本発明の第２の実施形態によるバックライトシステムを示す図。
【図１】
2005509939.tif 000003
【図２Ａ】
2005509939.tif 000004
【図２Ｂ】
2005509939.tif 000005
【図３Ａ】
2005509939.tif 000006
【図３Ｂ】
2005509939.tif 000007
【国際調査報告】
2005509939.tif 000008
2005509939.tif 000009
2005509939.tif 000010